(57)【要約】【課題】  本発明は魚釣り情報認証システムに関し、釣船から無線で送信される釣り情報の中で、他の釣船からの釣り情報と混信することなく自船からの釣り情報を正確に捕らえることのできる魚釣り情報認証システムを提供することを目的とする。【解決手段】  釣船に装備された情報収集手段で得た釣り情報を取り込んでこれを送信する釣船側の送信機と、当該送信機から送信された釣り情報を受信する受信機とからなり、送信機または受信機の一方は個体認識用の識別記号を備え、当該識別記号を、識別記号を持たない他方の受信機または送信機に記憶させ、送信機は、情報収集手段で得た釣り情報に上記識別記号を重畳して送信し、受信機は、当該識別記号が重畳された釣り情報のみを個別認識して取り込むことを特徴とする。【選択図】    図２
2005151801.tif 000002
【特許請求の範囲】
【請求項１】
釣船に装備された情報収集手段で得た釣り情報を取り込んでこれを送信する釣船側の送信機と、
当該送信機から送信された釣り情報を受信する受信機とからなり、
送信機または受信機の一方は個体認識用の識別記号を備え、
当該識別記号を、識別記号を持たない他方の受信機または送信機に記憶させ、
送信機は、情報収集手段で得た釣り情報に上記識別記号を重畳して送信し、
受信機は、当該識別記号が重畳された釣り情報のみを個別認識して取り込むことを特徴とする魚釣り情報認証システム。
【請求項２】
受信機は、表示器を備えた魚釣用リールで、リール本体に装着した制御手段は、取り込んだ釣り情報を当該表示器に表示させることを特徴とする請求項１に記載の魚釣り情報認証システム。
【発明の詳細な説明】
【技術分野】
【０００１】
本発明は、釣船に艤装された魚群探知機やＧＰＳ（全地球測位システム）等の情報収集手段からの釣り情報を正確に得られるようにした魚釣り情報認証システムに関する。
【背景技術】
【０００２】
今日、釣船には魚釣りに関する情報を収集可能な魚群探知機やＧＰＳ等の情報収集手段が艤装されており、従来、船頭はこれらの情報収集手段で得られた釣り情報を釣人に口頭で伝えている。
しかし、釣り情報は刻々と変化するため、釣り情報の変化を釣人が迅速に把握できることが好ましく、特許文献１には、釣船側から無線で送信された情報収集手段の釣り情報をリール本体に装着した受信機で受信して、これを表示器に表示させる魚釣用リールが提案されている。
【０００３】
而して、この魚釣用リールによれば、釣人は魚群探知機で得られた魚の棚位置やＧＰＳで得られた現在位置等を、表示器を介して迅速に把握することが可能となる。
【特許文献１】特開２００３−１１１号公報
【発明の開示】
【発明が解決しようとする課題】
【０００４】
しかし、斯様に釣り情報を釣船側から無線で魚釣用リールに送信する場合、同一周波数の送信機を備えた他の釣船の無線送信エリア内に自船が存在すると、電波が混信して魚釣用リール側ではどちらの釣り情報が自船の情報か認識できず、誤って他の釣船から送信された釣り情報を表示器に表示してしまう虞があった。
本発明は斯かる実情に鑑み案出されたもので、釣船から無線で送信される釣り情報の中で、他の釣船からの釣り情報と混信することなく自船からの釣り情報を正確に捕らえることのできる魚釣り情報認証システムを提供することを目的とする。
【課題を解決するための手段】
【０００５】
斯かる目的を達成するため、請求項１に係る魚釣り情報認証システムは、釣船に装備された情報収集手段で得た釣り情報を取り込んでこれを送信する釣船側の送信機と、当該送信機から送信された釣り情報を受信する受信機とからなり、送信機または受信機の一方は個体認識用の識別記号を備え、当該識別記号を、識別記号を持たない他方の受信機または送信機に記憶させ、送信機は、情報収集手段で得た釣り情報に上記識別記号を重畳して送信し、受信機は、当該識別記号が重畳された釣り情報のみを個別認識して取り込むことを特徴とする。
【０００６】
そして、請求項２に係る発明は、請求項１に記載の魚釣り情報認証システムに於て、受信機は、表示器を備えた魚釣用リールで、リール本体に装着した制御手段は、取り込んだ釣り情報を当該表示器に表示させることを特徴とする。
【発明の効果】
【０００７】
各請求項に係る発明によれば、同一周波数の送信機を備えた他の釣船の無線送信エリア内に自船が存在しても、電波が混信することなく必要とする自船からの釣り情報のみを正確に捕らえることが可能となった。
【発明を実施するための最良の形態】
【０００８】
以下、本発明の実施形態を図面に基づいて詳細に説明する。
図１は請求項１及び請求項２の第一実施形態に係る魚釣り情報認証システムを備えた魚釣用電動リール（以下、「電動リール」という）を示し、図１に於て、１はリール本体３のフレーム、５，７は当該フレーム１の左右に取り付く側板で、両側板５，７間にスプール軸を介してスプール９が回転可能に支持されている。
【０００９】
スプール９は、スプールモータ（図２中、符号２１）の駆動やハンドル１１の巻取り操作で回転して釣糸が巻回されるようになっており、スプールモータ２１はスプール９前方のフレーム１に一体成形されたモータケース内に収納されている。
そして、側板７の上部前方には、特許第２９７７９７８号公報で開示された魚釣用リールと同様、スプールモータ２１のモータ出力を調節するレバー形状のモータ出力調節体（以下、「パワーレバー」という）１３がハンドル１１と同方向へ回転操作可能に取り付けられており、当該パワーレバー１３の操作で、制御ボックス１５内に装着した図２のマイクロコンピュータ（制御手段）１７が、モータ駆動回路１９を介してスプールモータ２１のモータ出力をモータ停止状態から最大値（０〜１００％）まで連続的に増減して、スプール９の巻取り速度を制御するようになっている。
【００１０】
また、図１に示すようにスプール９の後方には、側板７内に装着したクラッチ機構のクラッチレバー２３が側板５，７間に装着されており、このクラッチレバー２３の操作でクラッチ機構がＯＮ／ＯＦＦに切り換わって、スプール９へのスプールモータ２１やハンドル１１の駆動力が伝達／遮断されるようになっている。
一方、図１中、２５はスプール９の回転数とその回転方向を検出する回転検出手段で、当該回転検出手段２５は、フレーム１に装着された一対のリードスイッチ２７と、これに対向してスプール９の一端側周縁部に固着された複数のマグネット２９とで構成されており、リードスイッチ２７はマイクロコンピュータ１７のＣＰＵに接続されている。
【００１１】
而して、ＣＰＵは、特開平５−１０３５６７号公報で開示された魚釣用リールと同様、リードスイッチ２７から出力されるスプール９の正転，逆転の判定信号を取り込んで釣糸の繰出しか巻取りかを判定すると共に、リードスイッチ２７から取り込むスプール９の回転パルス信号をカウントして、この計数値を基にマイクロコンピュータ１７のＲＯＭに記憶された糸長計算式を演算実行するようになっている。
【００１２】
そして、図２に示すようにＣＰＵは、表示駆動回路３１を介してその演算結果を、制御ボックス１５の操作パネル３３上に設けた表示器３５に表示させるようになっており、釣り人は斯かる表示を確認し乍ら、所定の水深に仕掛けを繰り出したり、ハンドル１１やパワーレバー１３の操作で釣糸を巻き上げることができる。
また、図１に示すように操作パネル３３上には、表示器３５に隣接してリセットスイッチ３７，モードスイッチ３９，棚メモスイッチ４１が装着されており、これらはマイクロコンピュータ１７に接続されている。そして、図３に示すようにモードスイッチ３９の操作で、マイクロコンピュータ１７が「実釣モード」と「魚釣り情報表示モード」に順次切り換わるようになっている。
【００１３】
即ち、既述したようにマイクロコンピュータ１７は、リードスイッチ２７から取り込むスプール９の回転パルス信号をカウントし、この計数値を基に糸長計算式を演算実行して演算結果を表示器３５に表示させるが、表示器３５はドットマトリックス方式のカラーＴＦＴ液晶ディスプレイからなり、図４に示すように実釣モードに於て、表示器３５の中央の上カラ表示部４３に水面からの仕掛けの水深が、そして、棚カラ表示部４５に棚からの仕掛けの距離が上下２段に並列して大きく表示されるようになっている。
【００１４】
そして、実釣モードに於て、上述したようにマイクロコンピュータ１７のＣＰＵは、リードスイッチ２７からの回転パルス信号を基に釣糸の繰出し量を演算してこの演算結果を上カラ表示部４３に表示させるが、釣糸が竿先から水面まで繰り出された処で釣り人がリセットスイッチ３７を操作すると、上カラ表示部４３の表示値が「０．０」にリセットされるようになっている。
【００１５】
この後、釣り人が釣糸を繰り出していくと、ＣＰＵで演算，計測された糸長値が上カラ表示部４３に表示され、そして、釣糸が例えば９５．５ｍ繰り出された処で釣人が棚メモスイッチ４１を操作すると、棚カラ表示部４５に「０．０」が表示されて棚位置が設定され、以後、図４に示すように棚位置から例えば１５ｍの釣糸の巻上げに伴う仕掛けの距離と水面からの繰出し量（水深）が、棚カラ表示部４５と上カラ表示部４３に夫々表示されるようになっている。
【００１６】
ところで、既述したように、昨今、多くの釣船には魚釣りに関する情報を収集可能な魚群探知機（以下、「魚探」という）やＧＰＳ等の情報収集手段が艤装されている。
そこで、図２に示すように本実施形態に係る魚釣り情報認証システム４６に於ても、釣船４７には、魚探４９と、ＧＰＳ衛星５１からの電波を受信するＧＰＳ受信機５３とを備えている。そして、ＧＰＳ受信機５３が魚探４９に接続されてＧＰＳ情報が魚探４９上で確認できるようになっているが、更に魚探４９は送信機５５に接続されている。そして、送信機５５内にはマイクロコンピュータ５７が組み込まれており、送信機５５は、マイクロコンピュータ５７で処理した魚探４９やＧＰＳ衛星５１の釣り情報を電動リール５９側の受信部６１に送信するようになっている。
【００１７】
しかし、既述したように送信機５５と同一周波数の送信機を備えた他の釣船の無線送信エリア内に釣船（自船）４７が存在してしまうと、混信して電動リール５９側ではどちらの釣り情報が自船からの情報か認識できず、誤って他の釣船から送信された釣り情報を表示器３５に表示してしまう虞がある。
このため、本実施形態では、斯かる混信を防止して釣船４７からの釣り情報を正確に受信可能とするため、以下の如き特徴を有している。
【００１８】
即ち、電動リール５９には、無線タグ６３が装着されている。
無線タグは、無線でデータのやり取りができるＩＣチップを使った所謂「電子荷札」のことで、ＩＣチップとアンテナからなり、無線タグをリーダーライタ（読書機）に近づけると、リーダーライタからの電波によって無線タグ側に起電力が発生（電磁誘導の原理）し、この電力によって回路が働き、リーダーライタ側と制御データの交換が可能となるもので、斯かる無線タグ６３が電動リール５９の制御ボックス１５内に装着されている。
【００１９】
一方、釣船４７側には、識別記号（ＩＤコード）を持ったリーダーライタ６５が装着されており、無線タグ６３が装着された電動リール５９をこのリーダーライタ６５に近づけると、既述したようにリーダーライタ６５からの電波で無線タグ６３側に起電力が発生し、この電力で回路が働いてリーダーライタ６５側からその識別記号をメモリに一次保存するようになっている。
【００２０】
そして、送信機５５は、魚探４９やＧＰＳ衛星５１の釣り情報を送信するに当たり、リーダーライタ６５の識別記号を重畳して釣り情報を送信するようになっている。
一方、上記無線タグ６３はマイクロコンピュータ１７に接続されており、マイクロコンピュータ１７のＣＰＵは、無線タグ６３のメモリに一次保存された識別記号を取り込んで、受信部６１で受信するあらゆる電波のうち、リーダーライタ６５の識別記号が重畳された電波のみを個別認識して取り込むようになっている。
【００２１】
そして、モードスイッチ３９の操作でマイクロコンピュータ１７が実釣モードから魚釣り情報表示モードに切り換えられると、図５に示すようにマイクロコンピュータ１７のＣＰＵは、表示駆動回路３１を介して表示器３５の中央を魚探情報表示部６７とし、当該魚探情報表示部６７上に受信部６１で個別認識された魚探情報を表示させるようになっている。
【００２２】
而して、魚探情報表示部６７には、釣人が乗っている釣船４７の自船位置がポインタ６９で表示され、また、ポインタ７１，７３で、夫々、糸長計測で得られた仕掛けの位置と魚探４９で得られた魚群の位置と地形７５が表示されると共に、設定された棚位置が破線７７で表示され、また、それらの水深が各ポインタ７１，７３と破線７７の近接に表示されるようになっている。
【００２３】
更に、図５に示すようにマイクロコンピュータ１７のＣＰＵは、上述した魚探情報表示部６７での表示と同時に、表示器３５の右側上部を新たに上カラ表示部４３-1と棚カラ表示部４５-1として、これらに仕掛けの水面からの水深と仕掛けの棚からの距離を上下２段に小さく表示させると共に、表示器３５の左側上部をＧＰＳ情報表示部７９として、当該ＧＰＳ情報表示部７９に、受信部６１で個別認識されたＧＰＳ情報として日付と時刻，釣船４７の現在位置（経度と緯度）を表示させるようになっている。
【００２４】
尚、例えば釣船にＧＰＳが装備されていない場合には、上記ＧＰＳ情報表示部７９に情報が表示されない構造となっている。
そして、釣人がモードスイッチ３９を操作して魚釣り情報表示モードから実釣モードに切り換えると、マイクロコンピュータ１７は表示器３５を図４の表示状態に切り換えるようになっている。
【００２５】
本実施形態はこのように構成されており、釣船４７に乗船した釣人は所定のポイントに案内されて釣りを行うこととなるが、実釣に当たり釣人が電動リール５９を釣船４７のリーダーライタ６５に近づけると、リーダーライタ６５からの電波で無線タグ６３に起電力が発生し、この電力で無線タグ６３の回路が働いてリーダーライタ６５側からその識別記号をメモリに一次保存する。そして、電動リール５９のマイクロコンピュータ１７は、無線タグ６３のメモリに一次保存された識別記号を取り込んでこれを自らのメモリに保存する。
【００２６】
そして、送信機５５は、魚探４９やＧＰＳ衛星５１で得た釣り情報をマイクロコンピュータ５７で処理して電動リール５９へ送信するが、送信機５５は識別記号を釣り情報に重畳して送信する。
一方、電動リール５９では、マイクロコンピュータ１７のＣＰＵは受信部６１で受信するあらゆる電波をメモリに記憶したリーダーライタ６５の識別記号と照合して、当該識別記号が重畳された電波のみを個別認識して取り込み、他の釣船からの電波をキャンセルするため、釣船４７からの釣り情報のみが電動リール５９に取り込まれることとなる。
【００２７】
そして、電動リール５９は、マイクロコンピュータ１７を実釣モードに設定して、クラッチレバー２３の操作でクラッチ機構をクラッチＯＦＦに切り換えれば、スプール９から釣糸が順次繰り出され、この繰出しに伴い計測された糸長計測値が上カラ表示部４３に表示される。そして、既述したように釣糸が例えば９５．５ｍ繰り出された処で棚メモスイッチ４１を操作すれば、棚カラ表示部４５に「０．０」が表示されて棚位置が設定され、以後、図４に示すように釣糸の巻上げに伴う棚からの仕掛けの位置と水面からの繰出し量が表示器３５に表示されるが、モードスイッチ３９の操作で実釣モードから魚釣り情報表示モードに切り換わると、表示器３５が図５の表示状態に切り換わって、ＣＰＵは、個別認識した魚探４９の釣り情報を基に、表示器３５の魚探情報表示部６７にポインタ６９で自船位置を、ポインタ７１，７３で仕掛けの位置と魚群の位置を表示し、更に、設定された棚位置を破線７７で表示させると共に、それらの水深を各ポインタ７１，７３と破線７７の近接に表示し、魚探４９で得られた海底の地形７５を表示する。
【００２８】
更にＣＰＵは、斯かる魚探情報表示部６７での表示と同時に、表示器３５の右側上部を新たに上カラ表示部４３-1と棚カラ表示部４５-1として、これらに仕掛けの水面からの水深と仕掛けの棚からの距離を上下２段に小さく表示し、表示器３５の左側上部をＧＰＳ情報表示部７９として、当該ＧＰＳ情報表示部７９に、受信部６１で個別認識されたＧＰＳ情報として日付と時刻，釣船４７の現在位置を表示させる。
【００２９】
そして、釣人がモードスイッチ３９を操作して魚釣り情報表示モードから実釣モードに切り換えると、表示器３５は図４の表示状態に切り換わることとなる。
尚、無線タグ６３は異なる識別記号をもつ他のリーダーライタに近づけると、メモリに一次保存していた識別記号を新たなリーダーライタの識別記号に更新する機能を有している。
【００３０】
従って、後日の釣りで本実施形態の釣船４７と異なる釣船に乗船した場合、その釣船に装備されたリーダーライタに近づけることでそのリーダーライタ特有の識別記号を更新してメモリに一次保存することとなる。
このため、後日の実釣時に釣船が変わっても、その釣船の送信機から同様に識別記号が重畳して送信されたその釣船特有の釣り情報がのみが受信できることとなる。
【００３１】
このように本実施形態に係る魚釣り情報認証システム４６は、電動リール５９の受信部６１で受信するあらゆる電波のうち、リーダーライタ６５の識別記号が重畳された釣船（自船）４７の電波のみを個別認識して取り込み、他の釣船からの電波をキャンセルするので、他の釣船の無線送信エリア内に釣船４７が存在しても、電波が混信することなく必要とする自船からの釣り情報のみを正確に捕らえることが可能となった。
【００３２】
図６は請求項１及び請求項２の第二実施形態に係る魚釣り情報認証システムの制御ブロック図を示し、本実施形態は、上述した無線タグ６３とリーダーライタ６５に代え、赤外線で識別記号を送信する携帯可能な小型の赤外線送信機８１を釣船４７-1側に搭載すると共に、電動リール５９-1側に、赤外線送信機８１からの赤外線を受光する受光部８３を装着したもので、上述した第一実施形態と同様、釣船４７-1に装着された送信機５５は、魚探４９やＧＰＳ衛星５１の釣り情報を送信するに当たり、上記識別記号を重畳して釣り情報を送信するようになっている。
【００３３】
一方、受光部８３は電動リール５９-1のマイクロコンピュータ１７-1に接続されており、マイクロコンピュータ１７-1は受光部８３で受光した赤外線に重畳された識別記号をメモリに記憶し、マイクロコンピュータ１７-1のＣＰＵは、受信部６１で受信するあらゆる電波のうち、メモリに記憶した識別記号が重畳された電波のみを個別認識して取り込むようになっている。
【００３４】
そして、その他の構成は上記第一実施形態と同様であるので、同一のものには同一符号を付してそれらの説明は省略する。
本実施形態に係る魚釣り情報認証システム４６-1はこのように構成されているから、実釣に当たり、例えば船頭が個々の釣人が携帯する電動リール５９-1（受光部８３）に向かって赤外線送信機８１を操作すれば、赤外線で送られた識別記号が受光部８３を介して電動リール５９-1のマイクロコンピュータ１７-1に保存される。
【００３５】
そして、送信機５５は、魚探４９やＧＰＳ衛星５１で得た釣り情報をマイクロコンピュータ５７で処理して電動リール５９-1へ送信する際に、識別記号を釣り情報に重畳して送信する。そして、電動リール５９-1のマイクロコンピュータ１７-1のＣＰＵは、受信部６１で受信するあらゆる電波をメモリに記憶した識別記号と照合し、当該識別記号が重畳された電波のみを個別認識して取り込み、他の釣船からの電波をキャンセルするため、釣船４７-1からの釣り情報のみが電動リール５９-1に取り込まれることとなる。
【００３６】
そして、斯様に取り込まれた釣り情報が、魚釣り情報表示モードに於て、図５の如く表示器３５の魚探情報表示部６７やＧＰＳ情報表示部７９等に表示されることとなる。
このように本実施形態によっても、電動リール５９-1のマイクロコンピュータ１７-1は、受信部６１で受信する電波のうち、赤外線送信機８１から予め送信されて記憶した識別記号が重畳された釣船（自船）４７-1の電波のみを個別認識して取り込み、他の釣船からの電波をキャンセルするため、同一周波数の送信機を備えた他の釣船の無線送信エリア内に釣船４７-1が存在しても、電波が混信することなく必要とする自船からの釣り情報のみを正確に捕らえることが可能である。
【００３７】
図７は請求項１及び請求項２の第三実施形態に係る魚釣り情報認証システムの制御ブロック図を示し、本実施形態は、既述したリーダーライタ６５や赤外線送信機８１の如き電動リール５９，５９-1と別体の装置を用いず、識別記号を入力する数値「０」〜「９」の入力キー８５を電動リール５９-2の操作パネル上に装着したもので、電動リール５９-2のマイクロコンピュータ１７-2は、モードスイッチ３９の操作で図８の如く「識別記号入力モード」と「実釣モード」と「魚釣り情報表示モード」とに順次切り換わるようになっている。
【００３８】
そして、釣船４７-1の送信機５５から、例えば識別記号「１２４」が釣り情報に重畳されて送信される場合、釣人は「識別記号入力モード」で入力キー８５を用いて「１２４」の識別記号を電動リール５９-2側に入力すればよい。
而して、識別記号の入力は、先ず、数値「１」の入力キー８５を操作してリセットスイッチ３７の操作で確定し、次いで数値「２」の入力キー８５を操作してリセットスイッチ３７で確定し、最後に数値「４」の入力キー８５を操作してリセットスイッチ３７で確定させれば、識別記号「１２４」がマイクロコンピュータ１７のメモリに記憶されるようになっている。
【００３９】
また、斯様にメモリに記憶された識別記号は、「識別記号入力モード」に於ける新たな入力キー８５の入力操作で順次更新されていくようになっている。
尚、その他の構成は図１の第一実施形態と同様であるので、同一のものには同一符号を付してそれらの説明は省略する。
本実施形態に係る魚釣り情報認証システム４６-2はこのように構成されているから、実釣に当たり、釣人が船頭から識別記号を尋ねて、これを上述したように入力キー８５の操作でマイクロコンピュータ１７-2のメモリに記憶させればよく、マイクロコンピュータ１７-2のＣＰＵは、受信部６１で受信するあらゆる電波をメモリに記憶した識別記号と照合し、当該識別記号が重畳された電波のみを個別認識して取り込み、他の釣船からの電波をキャンセルするため、釣船４７-1からの釣り情報のみが電動リール５９-2に取り込まれることとなる。
【００４０】
そして、斯様に取り込まれた釣り情報が、魚釣り情報表示モードに於て、図５の如く表示器３５の魚探情報表示部６７やＧＰＳ情報表示部７９等に表示されることとなる。
このように本実施形態によっても、電動リール５９-2のマイクロコンピュータ１７-2は、受信部６１で受信する電波のうち、入力キー８５の操作で記憶した識別記号が重畳された釣船（自船）４７-1の電波のみを個別認識して取り込み、他の釣船からの電波をキャンセルするため、同一周波数の送信機を備えた他の釣船の無線送信エリア内に釣船４７-1が存在しても、電波が混信することなく必要とする自船からの釣り情報のみを正確に捕らえることが可能となった。
【００４１】
尚、上述した複数の入力キー８５に代え、パワーレバー１３を識別記号の入力手段として用いてもよい。
即ち、「識別記号入力モード」に於て、パワーレバー１３の操作に従い、表示器３５に数値「０」〜「９」が順次表示されるように構成し、例えば上記識別記号「１２４」を入力する場合、先ず、パワーレバー１３の操作で数値「１」を表示器３５に表示させてリセットスイッチ３７の操作で確定し、次いでパワーレバー１３の操作で数値「２」を表示器３５に表示させてリセットスイッチ３７で確定し、最後にパワーレバー１３の操作で数値「４」を表示器３５に表示させてリセットスイッチ３７で確定させて、識別記号「１２４」がマイクロコンピュータ１７-2のメモリに記憶されるように構成してもよく、斯かる実施形態によっても、上述した各実施形態と同様、所期の目的を達成することが可能である。
【００４２】
また、上述した各実施形態では、釣船４７，４７-1側から送信された釣り情報を受信する受信機として電動リール５９，５９-1，５９-2を用いて、夫々の表示器３５に釣り情報を表示させるように構成したが、これと異なる表示器を備えた情報端末を別途利用して、釣船側の送信機からこれに送信し、情報端末が識別記号に基づき釣り情報を個別認識して表示器に表示させるように構成してもよい。
【００４３】
そして、上述した各実施形態は、電動リール５９，５９-1，５９-2側に識別記号を記憶させる構成としたが、その逆の形態として、例えば釣人が持つ電動リール毎に識別記号を持たせ、釣船の送信機側にその釣船に乗る釣人が個々に所有する電動リールの識別記号を覚えさせて、各電動リール毎に夫々の識別記号を重畳した釣り情報を釣船の送信機から送信させてもよい。
【００４４】
更に識別記号を例えば電動リール側に記憶させる方法も上述した各態様に限定されるものではなく、例えば識別記号を記憶させた小さなカードを電動リールのカード挿入口に挿入することで、電動リール側が識別記号を認識，記憶する方法等も採用でき、上述した各実施形態に限定されるものでないことは勿論である。
更にまた、上述した各実施形態では、個別認識した釣り情報を表示器３５に表示させたが、斯様に釣り情報を表示器３５に表示させる構造に代え、或いは表示器３５に釣り情報を表示させる構成に加え、例えばクラッチ機構をＯＮ／ＯＦＦに切り換えたり釣糸を巻き取る等の駆動制御を釣り情報に基づき行ってもよい。
【図面の簡単な説明】
【００４５】
【図１】請求項１及び請求項２の第一実施形態に係る魚釣り情報認証システムを備えた電動リールの平面図である。
【図２】請求項１及び請求項２の第一実施形態に係る魚釣り情報認証システムの制御ブロック図である。
【図３】マイクロコンピュータのモード変化を示すフローチャートである。
【図４】実釣モードに於ける表示器の表示状態の説明図である。
【図５】魚釣り情報表示モードに於ける表示器の表示状態の説明図である。
【図６】請求項１及び請求項２の第二実施形態に係る魚釣り情報認証システムの制御ブロック図である。
【図７】請求項１及び請求項２の第三実施形態に係る魚釣り情報認証システムの制御ブロック図である。
【図８】マイクロコンピュータのモード変化を示すフローチャートである。
【符号の説明】
【００４６】
３  リール本体
９  スプール
１１  ハンドル
１３  パワーレバー
１７，１７-1，，１７-2，５７  マイクロコンピュータ
２１  スプールモータ
２３  クラッチレバー
２５  回転検出手段
２７  リードスイッチ
３５  表示器
３７  リセットスイッチ
３９  モードスイッチ
４１  棚メモスイッチ
４３，４３-1  上カラ表示部
４５，４５-1  棚カラ表示部
４６，４６-1，４６-2  魚釣り情報認証システム
４７，４７-1  釣船
４９  魚探
５１  ＧＰＳ衛星
５３  ＧＰＳ受信機
５５  送信機
５９，５９-1，５９-2  電動リール
６１  受信部
６３  無線タグ
６５  リーダーライタ
６７  魚探情報表示部
７９  ＧＰＳ情報表示部
８１  赤外線送信機
８３  受光部
８５  入力キー
【図１】
2005151801.tif 000003
【図２】
2005151801.tif 000004
【図３】
2005151801.tif 000005
【図４】
2005151801.tif 000006
【図５】
2005151801.tif 000007
【図６】
2005151801.tif 000008
【図７】
2005151801.tif 000009
【図８】
2005151801.tif 000010